(57)【特許請求の範囲】
【請求項１】
ブレードを装備したウォールソーと、
該ウォールソーを左右方向に移動させるためのレールと、
該レールを介して所望の角度で首振りすると共に前後方向に移動自在で周方向に回転自在なアタッチメントと、
該アタッチメントの基部を上下方向に移動自在にして支持する剛性な框体であるベースマシンと、
前記ベースマシンを移動自在にする移動手段とからなり、
前記ベースマシンには、床と天井とに突っ張って反力を取る伸縮自在なサポートが設けられ、
前記ブレードには、当該ブレードを囲繞するとともに一端開口部が壁に当接されるカバーが設けられ、
前記カバーには、当該カバーの内部に切断時に水を供給し且つ外部に漏れ出さないように排水する給排水装置が設けられていること、
を特徴とする屋内用ＲＣ壁解体装置。
【請求項２】
ベースマシンは、積載量６００ｋｇ以上のエレベータに搭載できる大きさと重量とに制限されていること、
を特徴とする請求項１に記載の屋内用ＲＣ壁解体装置。
【請求項３】
カバーの開口部には、壁に向かって伸縮自在なジャバラが設けられていること、
を特徴とする請求項１乃至２のいずれかに記載の屋内用ＲＣ壁解体装置。
【請求項４】
カバーの両側部に、レールの移動方向に沿ってブレードの位置合わせをするための位置合わせ手段が設けられていること、
を特徴とする請求項１乃至３のいずれかに記載の屋内用ＲＣ壁解体装置。
【発明の詳細な説明】
【技術分野】
【０００１】
本発明は、ＲＣ構造物のリニューアル工事において、低騒音で低振動の屋内用ＲＣ壁解体装置に関するものである。
【背景技術】
【０００２】
従来、ＲＣ構造物のリニューアルするには、振動や衝撃の発生を抑制して効率よく行うようにする解体工法があり、例えば、ウォールソーイング工法などが知られている。これは、切断対象の壁に、アンカーを打設して取付け用の機器を設置してブレードで切断するものである。また、ワイヤソーによる解体工法も知られている（特許文献参照９）。
【特許文献１】特開平０６−９３６５１号公報
【発明の開示】
【発明が解決しようとする課題】
【０００３】
しかし、上記のウォールソーイング工法では、アンカーの打設が必要なので、施工時の騒音が大きく、作業時間が制限されるので、作業能率が良くない。また、機器の重量が重く、設置が困難となる。更に、前記ワイヤソーによる解体工法では、構造物の周囲に土留め壁を構築してその内部を掘削して上床板が露出した段階でワイヤソーの駆動装置が設置され、その後に、ワイヤソーが前記上床板に巻回して行うものであり、ワイヤソーの設置までに準備が必要で、切断作業自体は高速であるものの、駆動装置設置までの準備段階に手間がかかるものである。本発明に係る屋内用ＲＣ壁解体装置は、このような課題を解決するために提案されたものである。
【課題を解決するための手段】
【０００４】
本発明に係る屋内用ＲＣ壁解体装置の上記課題を解決して目的を達成するための要旨は、ブレードを装備したウォールソーと、該ウォールソーを左右方向に移動させるためのレールと、該レールを介して所望の角度で首振りすると共に前後方向に移動自在で周方向に回転自在なアタッチメントと、該アタッチメントの基部を上下方向に移動自在にして支持する剛性な框体であるベースマシンと、前記ベースマシンを移動自在にする移動手段とからなり、前記ベースマシンには、床と天井とに突っ張って反力を取る伸縮自在なサポートが設けられ、前記ブレードには、当該ブレードを囲繞するとともに一端開口部が壁に当接されるカバーが設けられ、前記カバーには、当該カバーの内部に切断時に水を供給し且つ外部に漏れ出さないように排水する給排水装置が設けられていることである。
【０００５】
前記ベースマシンは、積載量６００ｋｇ以上のエレベータに搭載できる大きさと重量とに制限されていることである。また、前記カバーの開口部には、壁に向かって伸縮自在なジャバラが設けられていることである。
更に、前記カバーの両側部に、レールの移動方向に沿ってブレードの位置合わせをするための位置合わせ手段が設けられていることを含むものである。
【発明の効果】
【０００６】
本発明の屋内用ＲＣ壁解体装置によれば、ベースマシンが移動自在であるとともに床と天井とに突っ張って反力を取る伸縮自在なサポートが設けられているので、設置が容易に行えることで施工能率が向上する。また、前部で６つの部品から構成されていて、９人乗り程度のエレベーターで運搬が可能な重量と形状であり、手間がかからないと共にリニューアル工事に適している。更に、アタッチメントの固定には切断対象物に押しつけることで達成されるので、アンカー工事が不要であり、騒音などの問題が解消される。
【０００７】
本発明の屋内用ＲＣ壁解体装置は、ウォールソーで切断するので、解体工事が低騒音・低振動で行われる。また、ブレードの給排水に関しては、カバーでブレードを覆うと共に給排水装置で周囲に汚水をまき散らすことが無く、リニューアル工事に適した装置となる。
前記ブレードを全面的に覆うカバーがあるので、切断作業中の安全性が確保される。本装置で切断解体工事を行うので、足場を組む必要が無く工期短縮となる。
前記カバーの両側部に、レールの移動方向に沿ってブレードの位置合わせをするための位置合わせ手段が設けられていることにより、切断工事がスムーズに施工できるようになり作業能率が向上する。
【発明を実施するための最良の形態】
【０００８】
本発明に係る屋内用ＲＣ壁解体装置１は、図１に示すように、ブレード２を装備したウォールソー３と、該ウォールソー３を左右方向に移動させるためのレール４と、該レール４を介して所望の角度で首振りすると共に前後方向に移動自在で周方向に回転自在なアタッチメント５と、該アタッチメント５の基部を上下方向に移動自在にして支持する剛性な框体であるベースマシン６と、前記ベースマシンを移動自在にする移動手段７とからなる。
【０００９】
前記ベースマシン６には、床８と天井９とに突っ張って反力を取る伸縮自在な鋼製のサポート１０が設けられ、前記ブレード２には、当該ブレード２を囲繞するとともに一端開口部が壁１１に当接されるＦＲＰ製カバー１２が設けられ、前記カバー１２には、当該カバー１２の内部に切断時に水を供給し且つ外部に漏れ出さないように排水する給排水装置１３が設けられている。
【００１０】
前記ベースマシン６は、例えば、図１に示すように、積載量６００ｋｇ以上のエレベータ１４に搭載できる大きさと重量とに制限されている。これにより、リニューアル工事が容易となる。また、図３（Ｅ）に示すように、移動装置７として、例えば、フレーム７ａに設けられた車輪７ｂで構成されると共に、框体のジャッキで伸縮される脚部６ｅにより、固定位置では宙に浮くものである。
【００１１】
更に、前記框体の前方には、連結固定したアタッチメント５を、回転装置６ａで水平軸に対して回転させたり、チルト用シリンダ６ｂでチルト（首振り）させたり、アタッチメント用リフト６ｃで上下方向に移動させたりする装置が設けられている。
【００１２】
前記レール４は、図３（Ｃ）に示すように、左右方向に前記ウォールソー３を直線的に移動させる（例えば、２ｍ程度）ためにある。この鋼製のレール４があることで、前後方向に直交する左右方向（横方向）と、場合によっては上下方向（縦方向）に移動して、広い範囲の切断作業をカバーできる。
【００１３】
前記アタッチメント５は、図３（Ｄ）に示すように、前記ベースマシン６側にピンで固定するアタッチメント基部５ａと、該アタッチメント基部５ａに装備された伸縮シリンダによって伸縮されるアタッチメント先端部５ｂと、このアタッチメント先端部５ｂの上に設けられるウォールソー用リフト５ｃと、前記レール４を２箇所で固定支持するレール固定部５ｄとがある。
【００１４】
なお、前記アタッチメント基部５ａとアタッチメント先端部５ｂとの連結は、図４に示すように、ピン５ｅにより連結されて、例えば、前後方向に直交する上下方向にある範囲の角度θ（５度以内）で揺動するようにしてある。これにより、ブレード２の切断角度の調節ができるものである。
【００１５】
前記ブレード２は、例えば、その直径がφ１２００ｍｍ程度のものであり、前記アタッチメント５により前後方向へ移動され、更に、図３（Ｃ）に示すように、ウォールソー３の旋回アーム３ａにより前後方向に移動できる（ａ寸法）ので、ブレードによる切断深さが深くなるにつれて、ブレード２を直径の異なるものに交換するという従来の作業が不要となる。
【００１６】
前記カバー１２は、図３（Ａ）に示すように、ブレード２の厚さに対して余裕を持った厚さにしてカバーするものであり、その開口部には、壁１１に向かって伸縮自在なゴム製のジャバラ１２ａが設けられている。また、図５に示すように、前記カバー１２は、二つ割りのカバー片１２ｂ，１２ｃとからなり、その間にブレード２用のガイドレール１２ｄが設けられる。これらを、前記ガイドレール１２ｄに左右からカバー片１２ｂ，１２ｃを挟装させて、図６に示すように、ゴムバンド１５で締め付けて固定され、組み合わされて全体として馬蹄形のような形状になる。
更に、このカバー１２が横移動する際に、横移動用の車輪１２ｅが設けられていて、移動をスムーズにしている。
【００１７】
前記カバー１２は、切断時の安全性の確保のためと、更に、切断時のブレード２に供給される冷却用液（水）の回収のためにある。この冷却用液の回収のためには、図６に示すように、給排水装置であるバキューム掃除機１３を用いて、前記カバー１２との間で冷却用液が循環するように可撓管１３ａを配管する。
【００１８】
前記冷却用液は、カバー１２のジャバラ１２ａの両側に設けられた排出口１３ｂ，１３ｃの一方から可撓管１３ａを介してバキューム掃除機１３により回収されるとともにその内部に備えたフィルターで塵などが除去される。前記排出口１３ｂ，１３ｃは、ブレード２の切断作業方向が水平切断の場合と縦切断の場合とに備えて設けられているものである。なお、冷却用液は、ウォールソー３の下から供給されて、ウォールソー３のブレード用回転軸からブレード２面に吐出するようになっている。
【００１９】
このような屋内用ＲＣ壁解体装置１の使用方法を説明すると、まずは、図１乃至図２（Ｂ）に示すように、当該屋内用ＲＣ壁解体装置１を大きく６つくらいに分解した状態におけるベースマシン６を所望の階に搬入する。このベースマシン６をその移動手段７で切断対象の壁１１の前に位置させる。この壁１１の裏側に、水飛散を防止する簡易間仕切り１１ａを設置する。
【００２０】
次に、図７（１）に示すように、ウォールソー用リフト６ｃの取付台６ｄにチルト用シリンダ６ｂを介して設けられる回転装置６ａの取付部に、アタッチメント５を取り付ける。このアタッチメント５にレール４をレール用固定部５ｄによって取り付けて固定する。そして、前記レール４にウォールソー３を固定する。旋回アームを駆動させて回転軸を後方から前方に向ける。このウォールソー３の回転軸にブレード２を取り付ける。
【００２１】
この後、図７（２）に示すように、アタッチメント５の基部５ａに装備している伸縮シリンダでアタッチメント先端部５ｂを前方に押し出して、壁１１の表面に前記アタッチメント先端部５ｂの端面を当接させる。更に、図７（３）に示すように、チルト用シリンダ６ｂで前記アタッチメント先端部５ｂが壁１１に対して直交して当たるように、ベースマシン６を移動装置７で前方に移動させながら角度を調節する。その後、前記ベースマシン６のサポート１０を伸長させて、床８及び天井９に突っ張らせて、この屋内用ＲＣ壁解体装置１を固定する。
【００２２】
カバー１２をブレード２に被せて、配管およびバキューム掃除機１３等の設置を行い冷却用液の循環が可能なようにする。そして、図７（４）と図２（Ｃ）とに示すように、レール４に沿ってウォールソー３を移動させ端部に寄せてから、冷却用液をバキューム掃除機１３で供給及び回収しながら、壁１１の切断用の位置を示す墨出し線に沿って一次切断を開始する。
【００２３】
この一次切断におけるブレード２による切断は、図８（Ａ）〜（Ｃ）に示すように、ガイドレール１２ｄに沿ってウォールソー用リフト５ｃにより、前方に切り込んでいく。図８（Ｂ）に示すように、壁１１にブレード２が入り込んでいくと、ガイドレール１２ｄの一端と前記ウォールソー３の上部一端とを連結している追従ゴムバンド１５ａが伸びていく。
【００２４】
更に、図８（Ｃ）に示すように、ブレード２が更に深く切り込み、前記追従バンド１５ａの緊張力が打ち勝って前記ジャバラ１２ａが縮んで縮退する。このように、切断進行に従ってジャバラ１２ａが強く壁１１へ押されるので、冷却用液の漏れなども防止できるものである。また、深くき切りこむ途中で直径の異なるブレードに交換する必要はない。
【００２５】
そして、ブレード２が所定の深さ（約５００ｍｍ程度）まで切り込むと、今度は、図７（５）に示すように、２次切断としてレール４に沿って切断しながら横移動する。このようにして、例えば、図１に示すように、切断対象の壁１１の水平方向に上下の位置で墨出し線に沿って切断したり、回転装置６ａでウォールソー３及びブレード２を縦方向に旋回させて左右の位置で上下に切断したりして、壁１１を解体するものである。
【００２６】
本発明の屋内用ＲＣ壁解体装置１の第２実施例として、図９に示すように、前記カバー１２の両側部に、レール４の移動方向に沿ってブレード２の位置合わせをするための位置合わせ手段である、レーザー発信器１６が設けられているものである。このような位置合わせ手段があることで、壁１１に施された墨出し線に沿って、ブレード２の設置の際、横方向に切断中においてもブレード２の切断位置の調整をしながら切断工事を進めることができる。
【図面の簡単な説明】
【００２７】
【図１】本発明に係る屋内用ＲＣ壁解体装置１による解体作業の様子を示す説明図である。
【図２】同本発明の屋内用ＲＣ壁解体装置１の使用状態の背面図（Ａ）と、エレベータ１４で屋内用ＲＣ壁解体装置１を搬入する様子を示す平面図（Ｂ）と、壁１１を切断中の一部平面図（Ｃ）である。
【図３】同屋内用ＲＣ壁解体装置１を構成する、カバー１２の側面図（Ａ）、ブレード２の正面図（Ｂ）、ウォールソー３とレール４との側面図（Ｃ）、アタッチメント５の側面図（Ｄ）、ベースマシン６の側面図（Ｅ）である。
【図４】アタッチメント５におけるピン結合の様子を説明する説明図（Ａ），（Ｂ）である。
【図５】カバー１２の構成を示す詳細な部品１２ａ，１２ｂ，１２ｃ，１２ｄの平面図である。
【図６】カバー１２に対する冷却用液の循環回収構造を説明する概略説明図である。
【図７】本発明の屋内用ＲＣ壁解体装置１２による切断作業を示す説明図（１）〜（５）である。
【図８】同屋内用ＲＣ壁解体装置１によるブレード２の切断の様子とそれによるカバー１２におけるジャバラ１２ａの縮退の様子を示す説明図（Ａ）〜（Ｃ）である。
【図９】本発明の屋内用ＲＣ壁解体装置１の第２実施例に係るブレード２及びカバー１２部分の一部説明用の平面図である。
【符号の説明】
【００２８】
１          屋内用ＲＣ壁解体装置、
２          ブレード、
３          ウォールソー、              ３ａ          旋回アーム、
４          レール、
５          アタッチメント、            ５ａ          アタッチメント基部、
５ｂ        アタッチメント先端部、      ５ｃ          ウォールソー用リフト、
５ｄ        レール用固定部、            ５ｅ          ピン、  
６          ベースマシン、              ６ａ          回転装置、
６ｂ        チルト用シリンダ、          ６ｃ          アタッチメント用リフト、
６ｄ        取付台、                    ６ｅ          脚部、
７          移動手段、                    ７ａ            フレーム、
７ｂ        車輪、
８          床、
９          天井、
１０        サポート、
１１        壁、
１２        カバー、                  １２ａ          ジャバラ、
１２ｂ，１２ｃ      カバー片、        １２ｄ          ガイドレール、
１２ｅ      車輪、
１３        給排水装置、              １３ａ          可撓管、
１３ｂ，１３ｃ        排出口、
１４        エレベータ、      
１５        ゴムバンド、              １５ａ          追従バンド、
１６        レーザー発信器。
【図１】
0005054549.tif 000002
【図２】
0005054549.tif 000003
【図３】
0005054549.tif 000004
【図４】
0005054549.tif 000005
【図５】
0005054549.tif 000006
【図６】
0005054549.tif 000007
【図７】
0005054549.tif 000008
【図８】
0005054549.tif 000009
【図９】
0005054549.tif 000010